(57)【要約】【課題】原稿から読み取られた画像データが着脱可能な不揮発性メモリに保存されるときの機密情報の漏洩を抑制できる画像読取装置を提供する。【解決手段】ＭＰＵ１１は、ＣＣＤ１４が原稿３１から読み取った画像データを、ＲＦＩＤリーダ１６がＲＦＩＤタグ３３から読み取った情報に基づいて機密にすべきと判断した場合に、画像合成部２１にその画像データについて注意喚起のための画像の付与させた後、画像データをＵＳＢメモリ３５に保存する。【選択図】図１
2009177380.tif 000002
【特許請求の範囲】
【請求項１】
原稿から画像を読み取る画像読取部と、
前記原稿に付与されたＲＦＩＤタグから情報を読み出すＲＦＩＤリーダと、
着脱可能な不揮発性メモリが接続されるメモリ接続部と、
情報処理部とを備え、
前記情報処理部は、前記画像読取部が前記原稿から読み取った画像データを、前記ＲＦＩＤリーダが前記ＲＦＩＤタグから読み取った情報に基づいて機密にすべきと判断した場合に、前記画像データに対して、該画像データ中の読取画像に注意を喚起させるための画像を付与した後、前記画像データを前記メモリ接続部に接続された前記不揮発性メモリに保存することを特徴とする画像読取装置。
【請求項２】
請求項１に記載の画像読取装置において、
前記画像データ中の前記読取画像に付与する注意を喚起させるための前記画像は、文字列を含むことを特徴とする画像読取装置。
【請求項３】
請求項１又は請求項２に記載の画像読取装置において、
前記情報処理部は、前記画像データ中の前記読取画像に付与する注意を喚起させるための前記画像の内容を、前記ＲＦＩＤタグから読み取った前記情報に基づいて切り替えることを特徴とする画像読取装置。
【請求項４】
請求項１ないし請求項３のいずれかに記載の画像読取装置において、
前記不揮発性メモリはフラッシュメモリであることを特徴とする画像読取装置。
【発明の詳細な説明】
【技術分野】
【０００１】
本発明は、画像読取装置に関する。
【背景技術】
【０００２】
近年、原稿にＲＦＩＤ（Radio Frequency Identification）タグを取り付けて管理することが提案されている。特許文献１には、ユーザが入力したパスワードと、画像読取装置のＲＦＩＤリーダがＲＦＩＤタグから読み取ったパスワードとが一致した場合に、原稿の読み取りを許可する技術が開示されている。また、特許文献２には、ＲＦＩＤタグに原稿が機密書類か、機密書類ならどのような画像処理を施してプリントアウトするかが記憶され、機密にする部分を白又は黒で塗りつぶしてプリントアウトする技術が開示されている。
【０００３】
一方、複合機に着脱自在なフラッシュメモリ（コンパクトフラッシュ（登録商標）、ＵＳＢ（Universal Serial Bus）メモリ等）を接続して、画像データが書き込める技術も提案されている（特許文献３）。このような場合、機密書類を読み取ったデータもフラッシュメモリに保存でき、これを他の複合機でプリントする、あるいはコンピュータに接続して書類を閲覧できる。このため、読み取られた画像データがフラッシュメモリ等に保存される際の機密漏洩のための対策が必要である。なお、機密の画像データをプリントしたときに、「ＣＯＰＹ」などの文字を重畳する技術は、特許文献４に開示されている。
【特許文献１】特開２００７−１１３０４号公報
【特許文献２】特開２００４−３３６４３１号公報
【特許文献３】特開２００６−１３５９０８号公報
【特許文献４】特開２００１−３４６０３２号公報
【発明の開示】
【発明が解決しようとする課題】
【０００４】
そこで、本発明の解決すべき課題は、原稿から読み取られた画像データが着脱可能な不揮発性メモリに保存されるときの機密情報の漏洩を抑制できる画像読取装置の提供である。
【課題を解決するための手段】
【０００５】
上記の課題を解決するため、本発明に係る画像読取装置は、原稿から画像を読み取る画像読取部と、前記原稿に付与されたＲＦＩＤタグから情報を読み出すＲＦＩＤリーダと、着脱可能な不揮発性メモリが接続されるメモリ接続部と、情報処理部とを備え、前記情報処理部は、前記画像読取部が前記原稿から読み取った画像データを、前記ＲＦＩＤリーダが前記ＲＦＩＤタグから読み取った情報に基づいて機密にすべきと判断した場合に、前記画像データに対して、該画像データ中の読取画像に注意を喚起させるための画像を付与した後、前記画像データを前記メモリ接続部に接続された前記不揮発性メモリに保存する。
【０００６】
また本発明に係る画像読取装置において、前記画像データ中の前記読取画像に付与する注意を喚起させるための前記画像は、文字列を含む。
【０００７】
また本発明に係る画像読取装置において、前記情報処理部は、前記画像データ中の前記読取画像に付与する注意を喚起させるための前記画像の内容を、前記ＲＦＩＤタグから読み取った前記情報に基づいて切り替える。
【０００８】
また本発明に係る画像読取装置において、前記不揮発性メモリはフラッシュメモリである。
【発明の効果】
【０００９】
本発明によれば、原稿のＲＦＩＤタグから読み取られた情報に基づいて画像データが機密にすべきと判断された場合には、画像データが、該画像データ中の読取画像に注意を喚起させるための画像を付与された後、不揮発性メモリに保存される。それ故、その不揮発性メモリを他のコンピュータ等に接続して画像データを開いたときに、注意を喚起させるための画像が付与された状態で読取画像が表示部又はプリンタ等に出力されるため、ユーザに対し、読取画像の機密保持等について注意を喚起できる。その結果、原稿から読み取られた画像データが着脱可能な不揮発性メモリに保存されるときの機密情報の漏洩を抑制できる。
【００１０】
また本発明によれば、画像データ中の読取画像に付与する画像が文字列を含むものであるため、不揮発性メモリに保存された画像データの機密保持に関し、ユーザに分かりやすく注意を喚起できる。
【００１１】
請求項３に記載の発明によれば、画像データ中の読取画像に付与する注意を喚起させるための画像の内容が、ＲＦＩＤタグから読み取られた情報に基づいて切り替えられるため、各書類（原稿）の特性に応じた注意喚起のための画像を読取画像に付与できる。
【００１２】
また本発明によれば、不揮発性メモリとしてフラッシュメモリが用いられるため、大容量の画像データであっても高速で書き込み及び読み出しを行える。
【発明を実施するための最良の形態】
【００１３】
図１は、本発明の一実施形態に係る画像読取装置としてのファクシミリ複合機（以下、単に「複合機」という）のブロック図である。この複合機１は、図１に示すように、ＭＰＵ（Micro Processing Unit）１１、ＮＣＵ（Network Control Unit）１２、モデム（MODEM）１３、画像読取部としてのＣＣＤ（Charge Coupled Device）１４、読取画像処理回路１５、ＲＦＩＤリーダ１６、操作パネル１７、ＲＯＭ（Read Only Memory）１８、ＳＲＡＭ（Static Random Access Memory）１９、画像メモリ２０、画像合成部２１、メモリ接続部としてのＵＳＢインターフェース２２、及びプリンタ２３を備えている。本実施形態では、ＭＰＵ１１と画像合成部２１とが協働して本発明に係る情報処理部の機能を担っているが、ＭＰＵ１１に画像合成部２１の機能をも持たせて画像合成部２１を省略してもよい。複合機１に備えられる機能には、プリンタ機能、ファクシミリ機能、コピー機能、及びスキャナ機能等が含まれる。
【００１４】
ＭＰＵ１１は、この複合機１の制御を統括するものであり、ソフトウェアにより動作する。ＮＣＵ１２は、アナログの公衆電話回線網との回線の接続等を行うハードウェアであり、必要に応じてモデム１３を公衆電話回線網と接続する。モデム１３は、ファクシミリ通信が可能なファクシミリモデムから構成されている。
【００１５】
ＣＣＤ１４は、原稿３１の画像を読み取る素子であり、図示しないフラットベットスキャナ内に備えられる読取ユニットに備えられる。読取ユニットは、プラテンガラス上に載せられた原稿３１の画像を読み取るときは、図示しない移動機構により原稿３１の副走査方向に移動されつつ原稿の画像を読み取る。フラットベットスキャナの上側には、図示しない自動原稿送り装置が備えられる。自動原稿送り装置を用いた原稿３１の読み取りでは、自動原稿送り装置によって搬送される原稿３１が搬送路内の所定の読取位置を通過するときに、原稿３１の画像がＣＣＤ１４によって読み取られる。
【００１６】
読取画像処理回路１５は、ＣＣＤ１４から与えられた画像データに対して画像処理を施す。ＲＦＩＤリーダ１６は、ＭＰＵ１１の制御により、そのアンテナ３２を用いて原稿３２に付与されたＲＦＩＤタグ３３との間で無線電波信号のやり取りを行い、ＲＦＩＤタグ３３に記録された情報の読み出し等を行う。このＲＦＩＤリーダ１６による読み取りは、例えば、原稿３１が原稿セット部（プラテンガラス上又は自動原稿送り装置の原稿トレイ）にセットされたことが図示しない原稿センサにより検知されたときに行われる。あるいは、原稿３１が原稿セット部にセットされ、後述の操作パネル１７に設けられた読み取りを指示するスタートキーが操作されたときに、ＲＦＩＤリーダ１６による読み取りが行われてもよい。さらに他の例として、原稿３１が原稿セット部にセットされ、操作パネル１７からの操作により画像データの保存先に後述のＵＳＢメモリ３５が指定され、読み取りを指示するスタートキーが操作されたときに、ＲＦＩＤリーダ１６による読み取りが行われてもよい。
【００１７】
操作パネル１７は、複合機１の操作のために用いられるものであり、キーボード、液晶表示部等を備える。この操作パネル１７には、原稿の読み取り等を指示するためのスタートキーなどが備えられる。
【００１８】
ＲＯＭ１８には、ＭＰＵ１１に読み込まれる各種ソフトウェア及び設定データ等が保存されている。ＳＲＡＭ１９には、電話帳データ等が記憶されている。またＳＲＡＭ１９内の記憶領域３４には、機密の必要のある原稿３１の読取画像を後述のＵＳＢメモリ３５に保存するときにその読取画像に重畳するための画像データが予め記憶されている。また記憶領域３４には、後述するように複合機１の設定を切り替える際に用いられるパスワード等に関する情報も記憶される。
【００１９】
画像メモリ２０は、ファクシミリで送信及び受信される画像データ、ＣＣＤ１４によって読み取られた画像データ等が保存される。画像合成部２１は、ＭＰＵ１１の指示に応じ、画像の合成を行う。この画像合成部２１の機能については、後に詳述する。
【００２０】
ＵＳＢインターフェース２２は、ＵＳＢメモリ３５が着脱可能に接続され、接続されたＵＳＢメモリ３５に対して情報の書き込み及び読み出しを行う。ＵＳＢインターフェース２２にＵＳＢメモリ３５を接続することにより、例えばＣＣＤ１４により原稿から読み取れた画像データをＵＳＢメモリ３５に保存できる。なお、本実施形態では、着脱可能な不揮発性メモリの一例としてＵＳＢメモリ３５を用いたが、コンパクトフラッシュ（登録商標）等の他のフラッシュメモリを用いてもよく、あるいは更に他の不揮発性メモリを用いてもよい。
【００２１】
プリンタ２３は、ＣＣＤ１４により原稿から読み取られた画像データ、ファクシミリで受信された画像データ等を記録紙にプリントする。
【００２２】
このように、本実施形態に係る複合機１では、ＣＣＤ１４によって読み取られた画像データが着脱可能なＵＳＢメモリ３５に保存できる。そこで、本実施形態では、読み取った画像データをＵＳＢメモリ３５に保存する際の情報漏洩に関する対策として、以下の手段を講じている。
【００２３】
実施形態では、ＣＣＤ１４が読み取った画像データの保存先にＵＳＢメモリ３５が指定された場合において、ＭＰＵ１１は、ＲＦＩＤリーダ１６が原稿３１のＲＦＩＤタグ３３から読み取った情報に基づいて、その画像データを機密にすべきか否かを判断する。そして、ＭＰＵ１１は、その画像データを機密にすべきと判断した場合には、画像合成部２１にその読み取った画像データに対して注意喚起のための重畳画像を重畳させ、その重畳画像が重畳された画像データをＵＳＢメモリ３５に保存する。一方、画像データを機密にすべき必要がない場合には、ＭＰＵ１１は、読み取った画像データを重畳画像の重畳なしにＵＳＢメモリ３５に保存する。
【００２４】
画像合成部２１は、ＭＰＵ１１の指示に応じ、ＣＣＤ１４が原稿３１から読み取った画像データに対して、情報の機密保持に関する注意を喚起するための重畳画像を重畳（付与）する。画像合成部２１による重畳画像の生成には、ＳＲＡＭ１９の記憶領域３４に記憶されているデータ（画像データ又はテキストデータ等）が用いられる。重畳画像の重畳の仕方としては、重畳画像を読取画像の背景画像として重畳する方式、又は重畳画像を読取画像の外縁部（例えば、上下等の縁部の余白部）に重畳する方式などが採用できる。
【００２５】
画像合成部２１によって重畳される重畳画像としては、例えば、機密情報に関する注意を喚起するための文字列等が用いられ、例えば、読取画像の複製の禁止を示す文字列（例えば、「複製禁止」、又は「コピー厳禁」等）が挙げられる。他の例として、読取画像が機密書類であることを示す文字列（例えば、「社外秘」、「部外秘」、又は「CONFIDENTIAL」等）、あるいは、画像情報の持ち出しの禁止を示す文字列（例えば、「持出禁止」等）などが挙げられる。
【００２６】
図２は原稿から読み取られた読取画像の一例を示す図であり、図３はその読取画像に重畳される重畳画像の一例を示す図である。この例では、図２の読取画像４１に、図３の重畳画像４２が読取画像４１の背景画像として重畳されている。この図３の重畳画像４２には、読取画像のほぼ全面を覆うように複数の「複写禁止」の文字列が配列されている。
【００２７】
また、ＲＦＩＤタグ３３から読み取った情報に基づいて原稿３１の画像が機密にすべきかを判断する手法としては、種々の具体的な手法が採用できる。本実施形態では、例えば原稿３１にＲＦＩＤタグ３３が付与されているか否か（すなわち、ＲＦＩＤタグ３３が検出されたか否か）に基づいて、画像の機密保持の必要性が判断される。すなわち、ＲＦＩＤタグ３３が付与された原稿３１の画像は機密にすべきと判断され、ＲＦＩＤタグ３３が付与されていない原稿３１の画像は機密の必要がないと判断される。この点に関する他の構成として、ＲＦＩＤタグ３３中に原稿３１の画像データの機密保持の必要性に関する情報を書き込んでおき、その書き込まれた情報に基づいてＭＰＵ１１が画像データの機密保持の必要性について判断してもよい。
【００２８】
また、このような原稿３１から読み取った画像データに注意喚起のために重畳画像を重畳する機能は、操作パネル１７等を介した操作により、オン、オフの切り替えができる。このオン、オフの切り換え時（特に、機能をオフするとき）には、所定のパスワードの入力が求められるのが好ましい。このパスワードの照合に関するパスワードデータは、例えば上述のＳＲＡＭ１９の記憶領域３４に記憶されているパスワードデータが用いられる。
【００２９】
図４は、複合機のＭＰＵの読み取った画像データをＵＳＢメモリに保存するときの動作を示すフローチャートである。図４に示すように、ステップＳ１では、原稿３１が複合機１の前記原稿セット部にセットされ、画像データの保存先としてＵＳＢメモリ３５が指定される。続くステップＳ２では、ＭＰＵ１１によって、ＲＦＩＤリーダ１６を介して原稿３１にＲＦＩＤタグ３３が付与されているか否かが判断され、ＲＦＩＤタグ３３が付与されている場合にはステップＳ３に進み、ＲＦＩＤタグ３３が付与されていない場合にはステップＳ６に進む。
【００３０】
ステップＳ３では、スタートボタンの操作に応じて原稿からの画像の読み取りが実行される。続くステップＳ４では、ＭＰＵ１１から画像合成部２１に、原稿３１から読み取られた画像データ中の読取画像に対する重畳画像の重畳が指示され、画像合成部２１による画像の合成が行われる。この処理によって、上述の如く、ＣＣＤ１４が原稿３１から読み取った読取画像に対して、機密保持に関する注意を喚起するための重畳画像が重畳される。そして、ステップＳ５にて、ＭＰＵ１１によって、重畳画像が重畳された画像データがＵＳＢメモリ３５に保存される。
【００３１】
一方、原稿３１にＲＦＩＤタグ３３が付与されていない場合には、ステップＳ６にて、スタートボタンの操作に応じて原稿からの画像の読み取りが実行される。この場合は。読み取られた画像データが、重畳画像の重畳が行われることなくＵＳＢメモリ３５に保存される（ステップＳ５）。
【００３２】
画像データが保存されたＵＳＢメモリ３５は、パーソナルコンピュータ（以下、「ＰＣ（Personal Computer）」と記す））等の他の情報機器に接続することにより、画像データの出力（例えば、表示又はプリント等）が容易に行える。そのとき、注意喚起のための重畳画像が重畳された画像データについては、注意喚起のための重畳画像が重畳された状態で読取画像が表示部又はプリンタ等に出力されるため、ユーザに対し、読取画像の機密保持等について注意を喚起できる。
【００３３】
以上にように、本実施形態によれば、ＲＦＩＤタグ３３が付与された原稿３１については、ＲＦリーダ１６によってＲＦＩＤタグ３３が検知されることにより自動的に機密保持が必要と判断される。そして、上記の如く、原稿３１から読み取られた画像データに対して注意喚起のため重畳画像が重畳された後、その画像データがＵＳＢメモリ３５に保存される。これによって、原稿から読み取られた画像データが着脱可能なＵＳＢメモリ３５に保存されるときの機密情報の漏洩を抑制できる。
【００３４】
また、画像データ中の読取画像に付与する注意喚起のための重畳画像を「複写禁止」等の文字列にすることいより、ＵＳＢメモリ３５に保存された画像データの機密保持に関し、ユーザに分かりやすく注意を喚起できる。
【００３５】
また、着脱可能な不揮発性メモリとしてフラッシュメモリの一種であるＵＳＢメモリ３５に保存されるため、大容量の画像データであっても高速で書き込み及び読み出しを行えるとともに、着脱も容易である。
【００３６】
なお、上述の実施形態の変形例として種々の構成が採用できる。例えば、読取画像に重畳する注意喚起のための重畳画像を生成するためのデータ（画像データ又はテキストデータ等）を、複合機１９のＳＲＡＭ１９ではなく、ＲＦＩＤタグ３３に記憶させておき、そのデータをＲＦＩＤタグ３３から読み出して読取画像の生成に用いてもよい。
【００３７】
また他の構成として、画像合成部２１によって読取画像に重畳される重畳画像の内容が切り替え可能とされてもよい。この場合、ＳＲＡＭ１９の記憶領域３４には、重畳される重畳画像の種類に応じてデータ（画像データ又はテキストデータ等）が予め複数種類記憶される。重畳する重畳画像の切り替えの指示は、ＭＰＵ１１から与えられる。ＲＦＩＤタグ３３には、ＭＰＵ１１が読取画像に重畳する重畳画像の種類を特定するための情報（例えば、重畳画像に関する識別情報）が記憶されており、その情報をＭＰＵ１１がＲＦＩＤリーダ１６を介してＲＦＩＤタグ３３から読み出し、重畳画像の種類を特定し、画像合成部２１に伝える。切り替えられる重畳画像の例としては、例えば、「複製禁止」、「社外秘」、「部外秘」、及び「持出禁止」などが挙げられる。
【００３８】
この構成によれば、画像データ中の読取画像に付与する注意喚起のための画像の内容が、ＲＦＩＤタグから読み取られた情報に基づいて切り替えられるため、各書類（原稿）の特性に応じた注意喚起のための画像を読取画像に付与できる。
【図面の簡単な説明】
【００３９】
【図１】本発明の一実施形態に係る画像読取装置としてのファクシミリ複合機のブロック図である。
【図２】原稿から読み取られた読取画像の一例を示す図である。
【図３】読取画像に重畳される重畳画像の一例を示す図である。
【図４】図１のファクシミリ複合機のＭＰＵの読み取った画像データをＵＳＢメモリに保存するときの動作を示すフローチャートである。
【符号の説明】
【００４０】
１  ファクシミリ複合機
１１  ＭＰＵ
１４  ＣＣＤ
１６  ＲＦＩＤリーダ
１９  ＳＲＡＭ
２１  画像合成部
２２  ＵＳＢインターフェース
３１  原稿
３３  ＲＦＩＤタグ
３５  ＵＳＢメモリ
【図１】
2009177380.tif 000003
【図２】
2009177380.tif 000004
【図３】
2009177380.tif 000005
【図４】
2009177380.tif 000006